(57)【要約】【課題】開口を開封自在に安定して封じることができる嵌合具を有する嵌合具付きガゼット袋の提供を目的とする。【解決手段】平面部１１、１２及び側面部１３、１４を有するガゼット状の袋本体１０と、袋本体１０の内面に、周方向に沿って全周にわたって帯状に設けられた嵌合具２０とを有し、側面部１３、１４に設けられた雄型嵌合部２２における、側面部１３、１４の各々の折り線１３ａ、１４ａに対応する部分に第１の切り欠き部２３、２４が設けられ、かつ、平面部１１、１２に設けられた雄型嵌合部２２における、開口を封じたときに第１の切り欠き部２３、２４に対応する部分に第２の切り欠き部２５〜２８が設けられている嵌合具付きガゼット袋１。【選択図】図３
2012051614.tif 000002
【特許請求の範囲】
【請求項１】
対向する一対の平面部、及び前記一対の平面部の少なくとも一方の側縁から内側に折り込まれた側面部を有するガゼット状の袋本体と、
前記袋本体の内面に、周方向に沿って全周にわたって帯状に設けられ、対向する部分同士が互いに着脱自在に嵌合する嵌合部を有する、前記袋本体の開口を開閉自在に封じる嵌合具と、
を有する嵌合具付きガゼット袋であって、
前記側面部に設けられた前記嵌合部における、該側面部の折り線に対応する部分に第１の切り欠き部が設けられ、
かつ、前記平面部に設けられた前記嵌合部における、開口を封じたときに前記第１の切り欠き部に対応する部分に第２の切り欠き部が設けられていることを特徴とする嵌合具付きガゼット袋。
【請求項２】
前記嵌合具が、帯状の基材と、該基材から立ち上がる幹部、及び該幹部の上部に形成された該幹部よりも大きい頭部を備え、前記基材の長手方向に沿って並行して複数本設けられた凸条の雄型嵌合部とを有し、
対向する複数本の凸条の雄型嵌合部同士が互いに嵌合する嵌合具である、請求項１に記載の嵌合具付きガゼット袋。
【請求項３】
前記嵌合具が、帯状の基材と、該基材から円弧状に立ち上がるアーム部を備え、前記基材の長手方向に沿って並行して複数本設けられた雌型嵌合部とを有し、
対向する複数本の雌型嵌合部同士が互いに嵌合する嵌合具である、請求項１に記載の嵌合具付きガゼット袋。
【発明の詳細な説明】
【技術分野】
【０００１】
本発明は、嵌合具付きガゼット袋に関する。
【背景技術】
【０００２】
食品分野等では、開口を大きく開くことができ、内容物の出し入れが容易な点から、ガゼット袋が広く使用されている。また、ガゼット袋の開口を繰り返し開閉できるように、ガゼット袋の開口近傍の内面に、互いに着脱自在に嵌合する嵌合部を有する嵌合具が設けられた嵌合具付きガゼット袋が知られている。
【０００３】
例えば、図１６に例示した、ガゼット状の袋本体１１０と、袋本体１１０の内面に設けられた嵌合具１２０とを有する嵌合具付きガゼット袋１０１が示されている（例えば、特許文献１）。袋本体１１０は、対向する前面部１１１及び背面部１１２と、前面部１１１及び背面部１１２の側縁から内側に折り込まれた一対の側面部１１３、１１４とを有する。嵌合具１２０は、前面部１１１と背面部１１２のそれぞれの内面に一方の縁から他方の縁まで設けられた、凸条の雄型嵌合部１２１及び該雄型嵌合部１２１に着脱自在に嵌合する雌型嵌合部１２２を有する。
【０００４】
また、図１７に例示した、ガゼット状の袋本体２１０と、袋本体２１０の内面に全周にわたって設けられた嵌合具２２０とを備えた嵌合具付きガゼット袋２０１が示されている（例えば、特許文献２）。袋本体２２０は、対向する前面部２１１及び背面部２１２と、前面部２１１及び背面部２１２の側縁から内側に折り込まれた一対の側面部２１３、２１４とを有する。嵌合具２２０は、基材の長手方向に沿って複数本並行して設けられた凸条の雄型嵌合部２２１を有する。嵌合具２２０は、対向する複数本の雄型嵌合部２２１同士を互いに嵌め込んで引っ掛けることで嵌合するようになっている。
また、嵌合具２２０の雄型嵌合部２２１における、側面部２１３、２１４のそれぞれの折り線２１３ａ、２１４ａに対応する部分には、切り欠き部２２２、２２３が設けられている。これにより、袋本体２１０は、側面部２１３、２１４が、折り線２１３ａ、２１４ａを内側にしてガゼット状に折り込みやすくなっている。
【先行技術文献】
【特許文献】
【０００５】
【特許文献１】特開２００１−７２０８７号公報
【特許文献２】特開２００６−２９０３７３号公報
【発明の概要】
【発明が解決しようとする課題】
【０００６】
しかし、嵌合具付きガゼット袋１０１は、雄型嵌合部１２１と雌型嵌合部１２２を嵌合して開口１１０ａを閉じる際、側面部１１３、１１４を雄型嵌合部１２１と雌型嵌合部１２２の間に挟み込むようにして、雄型嵌合部１２１と雌型嵌合部１２２を嵌合する。そのため、側面部１１３、１１４の厚みが厚い場合は、開口１１０ａを充分に封じることができず、適用形態に制限がある。
また、嵌合具付きガゼット袋２０１は、嵌合具２２０によって袋本体２１０の開口を封じる際、特に側面部２１３、２１４の近傍を安定して封じられず、内容物が袋本体２１０外に出てしまうことがある。
【０００７】
本発明は、開口を開封自在に安定して封じることができる嵌合具を有する嵌合具付きガゼット袋の提供を目的とする。
【課題を解決するための手段】
【０００８】
本発明は、前記課題を解決するために以下の構成を採用した。
［１］対向する一対の平面部、及び前記一対の平面部の少なくとも一方の側縁から内側に折り込まれた側面部を有するガゼット状の袋本体と、
前記袋本体の内面に、周方向に沿って全周にわたって帯状に設けられ、対向する部分同士が互いに着脱自在に嵌合する嵌合部を有する、前記袋本体の開口を開閉自在に封じる嵌合具と、
を有する嵌合具付きガゼット袋であって、
前記側面部に設けられた前記嵌合部における、該側面部の折り線に対応する部分に第１の切り欠き部が設けられ、
かつ、前記平面部に設けられた前記嵌合部における、開口を封じたときに前記第１の切り欠き部に対応する部分に第２の切り欠き部が設けられていることを特徴とする嵌合具付きガゼット袋。
［２］前記嵌合具が、帯状の基材と、該基材から立ち上がる幹部、及び該幹部の上部に形成された該幹部よりも大きい頭部を備え、前記基材の長手方向に沿って並行して複数本設けられた凸条の雄型嵌合部とを有し、
対向する複数本の凸条の雄型嵌合部同士が互いに嵌合する嵌合具である、［１］に記載の嵌合具付きガゼット袋。
［３］前記嵌合具が、帯状の基材と、該基材から円弧状に立ち上がるアーム部を備え、前記基材の長手方向に沿って並行して複数本設けられた雌型嵌合部とを有し、
対向する複数本の雌型嵌合部同士が互いに嵌合する嵌合具である、［１］に記載の嵌合具付きガゼット袋。
【発明の効果】
【０００９】
本発明の嵌合具付きガゼット袋は、開口を開封自在に安定して封じることができる。
【図面の簡単な説明】
【００１０】
【図１】本発明の嵌合具付きガゼット袋の一例を示した正面図である。
【図２】図１の嵌合具付きガゼット袋の上部を開封した様子を示した斜視図である。
【図３】図２の嵌合具付きガゼット袋を直線Ｉ−Ｉ’線で切断したときの断面図である。
【図４】図２の嵌合具付きガゼット袋を直線II−II’線で切断したときの断面図である。
【図５】図４の嵌合具付きガゼット袋の嵌合具を閉じた様子を示した断面図である。
【図６】本発明の嵌合具付きガゼット袋の嵌合具を示した斜視図である。
【図７】図３の嵌合具付きガゼット袋の開口を閉じた様子を示した断面図である。
【図８】図７の側面部近傍を拡大した断面図である。
【図９】本発明の嵌合具付きガゼット袋の製造工程を示した斜視図である。
【図１０】本発明の嵌合具付きガゼット袋の他の例を示した断面図である。
【図１１】本発明の嵌合具付きガゼット袋の他の例を示した断面図である。
【図１２】本発明の嵌合具付きガゼット袋の他の例を示した断面図である。
【図１３】本発明の嵌合具付きガゼット袋の他の例を示した断面図である。
【図１４】本発明の嵌合具付きガゼット袋の他の例を示した断面図である。
【図１５】本発明の嵌合具付きガゼット袋の他の例を示した断面図である。
【図１６】従来の嵌合具付きガゼット袋の一例を示した斜視図である。
【図１７】従来の嵌合具付きガゼット袋を示した断面図である。
【図１８】図１７の嵌合具付きガゼット袋の開口を閉じた様子を示した拡大断面図である。
【発明を実施するための形態】
【００１１】
以下、本発明の嵌合具付きガゼット袋の実施形態の一例を示して詳細に説明する。
本実施形態の嵌合具付きガゼット袋１（以下、「ガゼット袋１」という。）は、図１に示すように、ガゼット状の袋本体１０と、袋本体１０の内面に設けられた嵌合具２０とを有する。
【００１２】
袋本体１０は、図１に示すように、対向する一対の平面部１１、１２と、平面部１１の側縁１１ａ及び平面部１２の側縁１２ａから内側に折り込まれた側面部１３と、平面部１１の側縁１１ｂ及び平面部１２の側縁１２ｂから内側に折り込まれた側面部１４とを有している。側面部１３は、折り線１３ａを内側にして折り込まれている。側面部１４は、折り線１４ａを内側にして折り込まれている。また、本実施形態の袋本体１０は、平面部１１、１２及び側面部１３、１４が１枚のフィルム材からなっており、該フィルム材を筒状にして側端部同士を貼り合わせることで背貼り部１５とし、側面部１３、１４を内側に折り込んで底部シール部１６がシールされることで、内容物を収容できるガゼット状の袋となっている。
また、袋本体１０は、内容物を収容した状態で、上部が上部シール部１７でシールされて密封されている。袋本体１０の上部には、袋本体１０の上部を切断して開封するのを補助する切断補助線１８が幅方向に沿って形成されており、その切断補助線１８の端部にはノッチ１９が形成されている。
袋本体１０は、切断補助線１８に沿って上部を切断して開封することで、図２に示すように、上部に開口１０ａを形成することができるようになっている。
【００１３】
平面部１１、１２の形状は、この例では矩形である。ただし、平面部１１、１２の形状は矩形には限定されない。また、平面部１１、１２の大きさも特に限定されず、袋本体１０に収容する内容物によって適宜選定すればよい。
側面部１３、１４の形状は、平面部１１、１２に応じて適宜選定でき、この例では矩形である。また、側面部１３、１４の大きさは、平面部１１、１２の大きさに応じて決定される。
【００１４】
平面部１１、１２は、ヒートシールにより嵌合具２０を溶着できるものであればよく、内面側からシーラント層と基材層を少なくとも有する積層フィルムが好ましい。
基材層としては、二軸延伸ナイロン、二軸延伸ポリプロピレン等が挙げられる。
シーラント層としては、直鎖状低密度ポリエチレン、無延伸ポリプロピレン、エチレン−酢酸ビニル共重合体、アイオノマー等が挙げられる。
また、前記積層フィルムには、バリア層等の機能層を設けてもよい。また、平面部１１、１２は、シーラント層のみからなる単層フィルムであってもよい。
側面部１３、１４は、平面部１１、１２と同じフィルム材が使用できる。
【００１５】
切断補助線１８としては、例えば、袋本体１０の平面部１１、１２における切断補助線１８の部分をそれ以外の部分に比べて薄肉化した弱化線、ミシン目からなる弱化線、列状に形成された細孔からなる弱化線が挙げられる。また、切断補助線１８は、前記弱化線には限定されず、ハサミやカッター等で切断する位置を示す、印刷等で形成した線であってもよい。
切断補助線１８は、本実施形態では袋本体１０の幅方向に沿って形成されているが、この形態には限定されず、袋本体１０の幅方向に対して傾斜して設けられていてもよい。
【００１６】
ノッチ１９の形状は、この例では三角形状であるが、特に限定されず、半円形状、直線状等であってもよい。
【００１７】
嵌合具２０は、図２及び図３に示すように、袋本体１０の内面に、周方向に沿って全周にわたって帯状に設けられている。
嵌合具２０は、図４及ぶ図６に示すように、帯状の基材２１と、基材２１の長手方向に沿って並行して複数本設けられた凸条の雄型嵌合部２２とを有している。雄型嵌合部２２は、基材２１から立ち上がる幹部２２ａ及び該幹部２２ａの上部に設けられた幹部２２ａよりも大きい頭部２２ｂからなる。嵌合具２０は、図５に示すように、並行する雄型嵌合部２２の各々の頭部２２ｂを、向かい側に並行して設けられた雄型嵌合部２２と雄型嵌合部２２の間にそれぞれ嵌め込むことで、頭部２２ｂを互いに引っ掛けて着脱自在に嵌合できるようになっている。
【００１８】
雄型嵌合部２２の断面形状は、対向する雄型嵌合部２２同士を互いに着脱することで、袋本体１０に形成した開口１０ａの開閉が繰り返し行えるものであればよく、公知の断面形状を採用できる。
嵌合具２０において基材２１に並行して設けられる雄型嵌合部２２の本数は、この例では４本であるが、４本には限定されない。並行して設けられる雄型嵌合部２２の本数は、３〜６本が好ましく、４〜５本がより好ましい。
【００１９】
また、嵌合具２０は、図３及び図６に示すように、袋本体１０の側面部１３に設けられた雄型嵌合部２２における、側面部１３の折り線１３ａに対応する部分に、第１の切り欠き部２３が設けられている。つまり、袋本体１０の側面部１３の折り線１３ａ部分には雄型嵌合部２２が存在しない。そのため、袋本体１０の側面部１３は、折り線１３ａ部分において雄型嵌合部２２を屈曲させることなく内側に折り込むことができる。
第１の切り欠き部２３の形態としては、雄型嵌合部２２に刃物等によって切り込みを入れることで形成した形態、雄型嵌合部２２の一部を切除することで形成した形態、雄型嵌合部２２の一部を押し潰して形成した形態等が挙げられる。
【００２０】
同様に、嵌合具２０は、袋本体１０の側面部１４に設けられた雄型嵌合部２２における、側面部１４の折り線１４ａに対応する部分に、第１の切り欠き部２４が設けられている。つまり、袋本体１０の側面部１４の折り線１４ａ部分においては、雄型嵌合部２２が存在していない。そのため、袋本体１０の側面部１４側も、折り線１４ａ部分において雄型嵌合部２２を屈曲させることなく、側面部１４を内側に折り込むことができる。
第１の切り欠き部２４の形態としては、第１の切り欠き部２３の説明で挙げたものと同じ形態が挙げられる。
【００２１】
また、嵌合具２０は、図３に示すように、平面部１１に設けられた雄型嵌合部２２における、開口１０ａを封じたときに第１の切り欠き部２３、２４のそれぞれに対応する部分に、第２の切り欠き部２５、２６が設けられている。
同様に、嵌合具２０は、平面部１２に設けられた雄型嵌合部２２における、開口１０ａを封じたときに第１の切り欠き部２３、２４のそれぞれに対応する部分に、第２の切り欠き部２７、２８が設けられている。
第２の切り欠き部２５、２６、２７、２８の形態としては、第１の切り欠き部２３の説明で挙げたものと同じ形態が挙げられる。
【００２２】
嵌合具２０における袋本体１０の四隅の部分、すなわち平面部１１の側縁１１ａ、１１ｂ及び平面部１２の側縁１２ａ、１２ｂの部分の雄型嵌合部２２は、ヒートシールにより押し潰されることが好ましい。これにより、袋本体１０の四隅部分が広がって、開口１０ａが封じ難くなることを抑制しやすくなる。
【００２３】
ガゼット袋１は、袋本体１０の内面に、周方向に沿って全周にわたって設けられた嵌合具２０により、袋本体１０の上部に形成した開口１０ａを開閉自在に封じることができる。嵌合具２０で開口１０ａを封じる際、図５及び図７に示すように、袋本体１０の中央部分では、平面部１１と平面部１２のそれぞれの内面に設けられた複数本の雄型嵌合部２２同士が互いに嵌め込まれる。また、側面部１３における第１の切り欠き部２３と平面部１１の側縁１１ａの間の雄型嵌合部２２は、平面部１１に設けられた雄型嵌合部２２と互いに嵌め込まれ、第１の切り欠き部２３と平面部１２の側縁１２ａの間の雄型嵌合部２２は、平面部１２に設けられた雄型嵌合部２２と互いに嵌め込まれる。同様に、側面部１４における第１の切り欠き部２４と平面部１１の側縁１１ｂの間の雄型嵌合部２２は、平面部１１に設けられた雄型嵌合部２２と互いに嵌め込まれ、第１の切り欠き部２４と平面部１２の側縁１２ｂの間の雄型嵌合部２２は、平面部１２に設けられた雄型嵌合部２２と互いに嵌め込まれる。
【００２４】
ガゼット袋１は、袋本体１０の内面に、全周にわたって嵌合具２０を設けているため、袋本体１０に形成した開口１０ａを封じる際には、対向する雄型嵌合部２２の間に側面部１３、１４を挟み込まない。そのため、側面部１３、１４の厚さに依存せずに、対向する雄型嵌合部２２同士を充分に嵌合できる。
また、ガゼット袋１は、嵌合具２０の雄型嵌合部２２に、前述したように第１切り欠き部２３、２４と第２切り欠き部２５、２６、２７、２８が設けられていることで、袋本体１０に形成した開口１０ａを安定して充分に封じることができる。この理由は、以下に示すとおりである。
例えば、前述した嵌合具付きガゼット袋２０１の場合、袋本体２１０に形成した開口を封じる際に、図１８に示すように、側面部２１３側に隙間が生じて開口を安定して封じられないことがある。なぜなら、雄型嵌合部２２１はフィルム材に比べて曲がり難く、平面部２１１、２１２の側面部２１３側が湾曲したような形状となり、それら平面部２１１、２１２、側面部２１３を互いに充分に近づけることができないためである（領域ａ）。
これに対し、本発明のガゼット袋１では、側面部１３に設けられた雄型嵌合部２２に第１の切り欠き部２３が設けられているため、側面部１３を湾曲させずに、第１の切り欠き部２３の部分（折り線１３ａ）を基点に内側に折り込むことができる。また、平面部１１、１２の側面部１３側も、雄型嵌合部２２に第２の切り欠き部２５、２７が設けられているため、それらを基点に折り曲げることができる。そのため、図８に示すように、側面部１３に設けられた雄型嵌合部２２と、それに対向する平面部１１、１２に各々設けられた雄型嵌合部２２とは、それぞれ湾曲せずに直線性が保たれて互いに充分に近づけることができるので、しっかりと嵌合することができる。
これらのことは、側面部１４側についても同じである。
【００２５】
嵌合具２０の材質としては、公知の嵌合具と同じ材質が使用でき、ポリエチレン、ポリプロピレン等のポリオレフィン系樹脂等が挙げられる。嵌合具１の材質は、１種の樹脂からなっていてもよく、２種以上の樹脂を含む樹脂組成物からなっていてもよい。また、必要に応じて安定剤、酸化防止剤、滑剤、帯電防止剤、着色剤等の公知の添加剤が添加されていてもよい。
また、嵌合具２０の基材２１は、単層フィルムからなっていてもよく、多層フィルムからなっていてもよい。積層フィルムとしては、ヒートシール層、耐熱層、バリア層等を含むフィルムが挙げられる。
【００２６】
ガゼット袋１の製造方法は、特に限定されず、例えば、以下に示す方法が挙げられる。
まず、図９に示すように、平面部１１、１２及び側面部１３、１４を形成する長尺のフィルム材１０Ａをその長手方向に搬送しつつ、フィルム材１０Ａ上に、該フィルム材１０Ａの短手方向に沿って、第１の切り欠き部２３、２４及び第２の切り欠き部２５〜２８となる各々の切り欠き部を設けた嵌合具２０を溶着し、フィルム材１０Ａを直線ｘに沿って切断する。
その後、切断したフィルム材１０Ａにおける一方の側端部１０ｂと他方の側端部１０ｃとを、嵌合具２０が内側となるように合わせて、フィルム材１０Ａを筒状にし、それら側端部１０ｂと側端部１０ｃをヒートシールして背貼り部１５を形成し、背貼り部１５が背面となるようにガゼット状に折り込んで平面部１１、１２、側面部１３、１４を形成して、平面部１１の側縁１１ａ、１１ｂ及び平面部１２の側縁１２ａ、１２ｂの部分をポイントシールしてその部分の雄型嵌合部２２を押し潰す。さらに、平面部１１、１２、側面部１３、１４の底側をヒートシールして底部シール部１６を形成し、内容物を収容した後に上部をヒートシールして上部シール部１７を形成することで密封する。
切断補助線１８及びノッチ１９の形成時期は特に限定されず、フィルム材１０Ａの相当する位置に予め形成していてもよく、袋本体１０の密封後に形成してもよい。
【００２７】
以上説明したように、本発明の嵌合具付きガゼット袋は、帯状の嵌合部に前述した切り欠き部を設けた嵌合具を、袋本体の内面に全周にわたって設けることで、ガゼット状の袋本体に形成した開口を安定して充分に封じることができる。
【００２８】
なお、本発明の嵌合具付きガゼット袋は、前述したガゼット袋１には限定されない。
例えば、ガゼット袋１の嵌合具２０は、複数本の雄型嵌合部２２同士を嵌合するものであったが、図１０及び図１１に示すように、帯状の基材３１にその長手方向に沿って設けられた突条の雄型嵌合部３２と、帯状の基材３３にその長手方向に沿って設けられた、雄型嵌合部３２に着脱自在に嵌合する雌型嵌合部３４とを有する嵌合具３０を有する嵌合具付きガゼット袋２（以下、「ガゼット袋２」という。）であってもよい。ガゼット袋２は、嵌合具２０の代わりに嵌合具３０を有している以外は、ガゼット袋１と同じである。
【００２９】
雄型嵌合部３２は、図１０に示すように、基材３１から突き出すように形成された幹部３２ａと、幹部３２ａよりも大きい断面略半円形状の頭部３２ｂを有している。また、雌型嵌合部３４は、基材３２から断面円弧状に突き出すアーム部３４ａ、３４ｂからなり、これらアーム部３４ａ、３４ｂにより凹部３４ｃが形成されている。
嵌合具３０は、雄型嵌合部３２の頭部３２ｂを、雌型嵌合部３４の凹部３４ｃに嵌め込むことで、雄型嵌合部３２と雌型嵌合部３４を着脱自在に嵌合できるようになっている。
雄型嵌合部３２と雌型嵌合部３４の形状は特に制限はなく、それらを着脱自在に嵌合できるものであれば、任意の形状を採用できる。
【００３０】
ガゼット袋２では、図１１に示すように、平面部１１に雄型嵌合部３２、平面部１２に雌型嵌合部３４、側面部１３における平面部１１と対向する面側に雌型嵌合部３４、側面部１３における平面部１２と対向する面側に雄型嵌合部３２、側面部１４における平面部１１と対向する面側に雌型嵌合部３４、側面部１３における平面部１２と対向する面側に雄型嵌合部３２、がそれぞれ設けられている。
【００３１】
嵌合具３０は、ガゼット袋１の嵌合具２０と同様に、側面部１３の折り線１３ａに対応する部分、及び側面部１４の折り線１４ａに対応する部分に、それぞれ第１の切り欠き部４１、４２が設けられている。また、嵌合具３０は、ガゼット袋１の嵌合具２０と同様に、平面部１１に設けられた雄型嵌合部３２における、開口を封じたときに第１の切り欠き部４１、４２のそれぞれに対応する部分に、第２の切り欠き部４３、４４が設けられている。同様に、嵌合具３０は、平面部１２に設けられた雌型嵌合部３４における、開口を封じたときに第１の切り欠き部４１、４２のそれぞれに対応する部分に、第２の切り欠き部４５、４６が設けられている
これにより、ガゼット袋２は、袋本体１０の内面における対向する面に位置する雄型嵌合部３２と雌型嵌合部３４を嵌合することで、ガゼット袋１と同様に上部に形成した開口を安定して充分に封じることができる。
【００３２】
また、本発明の嵌合具付きガゼット袋は、図１２に示すように、帯状の基材５１と、基材５１の長手方向に沿って並行して複数本設けられた雌型嵌合部５２とを有し、ガゼット袋１の雄型嵌合部２２と同様に第１の切り欠き部及び第２の切り欠き部が形成された嵌合具５０を、袋本体の内面に、周方向に沿って全周にわたって帯状に設けた嵌合具付きガゼット袋３（以下、「ガゼット袋３」という。）であってもよい。ガゼット袋３は、嵌合具２０の代わりに嵌合具５０を有している以外は、ガゼット袋１と同じである。
雌型嵌合部５２は、基材５１から円弧状に立ち上がるアーム部５２ａ、５２ｂを有しており、それらアーム部５２ａ、５２ｂにより凹部５２ｃが形成されている。嵌合具５０は、図１３に示すように、並行する雌型嵌合部５２のアーム部５２ａ、５２ｂの一方を、向かい側に並行して設けられた雌型嵌合部５２の凹部５２ｃ内に嵌め込んで互いに引っ掛けることで、着脱自在に嵌合できる。
なお、ガゼット袋１とガゼット袋３は、製造が容易な点でガゼット袋２よりも有利である。
【００３３】
また、本発明の嵌合具付きガゼット袋は、平面部１１と平面部１２に設けられた嵌合部の一方だけに、開口を封じたときに第１の切り欠き部に対応する第２の切り欠き部が設けられていてもよい。例えば、図１４に例示した、嵌合具２０Ａを有する嵌合具付きガゼット袋１Ａ（以下、「ガゼット袋１Ａ」という。）でもよい。ガゼット袋１Ａにおけるガゼット袋１と同じ部分は、同じ符号を付して説明を省略する。ガゼット袋１Ａは、平面部１１に設けられた雄型嵌合部２２における、開口を封じたときに第１の切り欠き部２３に対応する部分に第２の切り欠き部２５が設けられ、平面部１２に設けられた雄型嵌合部２２における、開口を封じたときに第１の切り欠き部２４に対応する部分に第２の切り欠き部２８が設けられている。すなわち、ガゼット袋１Ａは、第２の切り欠き部２６と第２の切り欠き部２７が設けられていない以外は、ガゼット袋１と同じである。
ガゼット袋１Ａにおいても、嵌合具２０Ａに第１の切り欠き部２３、２４と第２の切り欠き部２５、２８を基点として平面部１１、１２及び側面部１３、１４を折り込んで、袋本体１０に形成した開口を安定して充分に封じることができる。
【００３４】
また、ガゼット袋１の袋本体は、１枚のフィルム材１０Ａで形成したものであったが、袋本体はこの形態には限定されない。例えば、図１５に示すように、平面部１１、平面部１２、側面部１３及び側面部１４が、４枚のフィルム材から形成された袋本体１０Ｂを有する嵌合具付きガゼット袋１Ｂであってもよい。
また、ガゼット袋１の袋本体は、一対の平面部１１、１２と一対の側面部１３、１４を有する形態であったが、この形態には限定されない。例えば、一対の平面部の一方の側縁側のみに、内側に折り込まれた側面部を有し、一対の平面部の他方の側縁側は、それら一対の平面部の側縁部同士がヒートシールされた袋本体を有する嵌合具付ガゼット袋であってもよい。
【符号の説明】
【００３５】
１、１Ａ、１Ｂ、２、３  嵌合具付きガゼット袋
１０、１０Ｂ  袋本体
１１、１２  平面部
１１ａ、１１ｂ、１２ａ、１２ｂ  側縁
１３、１４  側面部
１３ａ、１４ａ  折り線
２０、２０Ａ  嵌合具
２１  基材
２２  雄型嵌合部
３０  嵌合具
３１、３３  基材
３２  雄型嵌合部
３４  雌型嵌合部
５０  嵌合具
５２  雌型嵌合部
【図１】
2012051614.tif 000003
【図２】
2012051614.tif 000004
【図３】
2012051614.tif 000005
【図４】
2012051614.tif 000006
【図５】
2012051614.tif 000007
【図６】
2012051614.tif 000008
【図７】
2012051614.tif 000009
【図８】
2012051614.tif 000010
【図９】
2012051614.tif 000011
【図１０】
2012051614.tif 000012
【図１１】
2012051614.tif 000013
【図１２】
2012051614.tif 000014
【図１３】
2012051614.tif 000015
【図１４】
2012051614.tif 000016
【図１５】
2012051614.tif 000017
【図１６】
2012051614.tif 000018
【図１７】
2012051614.tif 000019
【図１８】
2012051614.tif 000020